(57)【要約】【課題】適時的に適切な警告を行うことを可能とする。【解決手段】ステップＳ１４及びステップＳ１５の判断が共にＮＯであり、子機が指定区域外でありかつ子機と親機との距離が近くない場合には、「親」の監視による「子」の安全性を確保することができない。したがって、警告を開始する（ステップＳ１６）。他方、前記ステップＳ６での判断の結果、親機が指定区域内に存在しない場合、つまり親機及び子機共に指定区域外である場合も、両機が近く（例えば、１ｍ内）に存在するか否かを判断する（ステップＳ１７）。両機が指定区域外であっても、当該両機が近くに存在すれば、「親」の監視による「子」の安全性の確保は可能である。よって、警告中であるか否かを判断し（ステップＳ１８）、警告中である場合には、これを停止させる（ステップＳ１９）。【選択図】図５
2015103040.tif 000002
【特許請求の範囲】
【請求項１】
監視者が携帯する親機と被監視者が携帯する子機とからなるシステムにおける親機としての電子機器であって、
前記子機の現在位置を取得する取得手段と、
前記親機の現在位置を検出する検出手段と、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、
この判断手段が前記被監視者の行動を即時に察知することが可能な状況にないと判断した場合は警告を発生させる警告制御手段と
を備えることを特徴とする電子機器。
【請求項２】
監視者が携帯する親機と被監視者が携帯する子機とからなるシステムにおける親機としての電子機器であって、
前記親機と前記子機との位置に基づき、前記監視者が前記被監視者の行動を即時に察知することが可能な状況であるとする相互に異なる複数の要素である監視可能条件を記憶した記憶手段と、
前記子機の現在位置を取得する取得手段と、
前記親機の現在位置を検出する検出手段と、
前記親機の現在位置と前記子機の現在位置とにより得られる情報に基づき、前記監視者と前記被監視者とが前記複数の監視可能条件のいずれかに該当する状況にあるか否かを判断する判断手段と、
この判断手段により、前記被監視者と前記被監視者とが前記複数の監視可能条件のいずれにも該当しない状況であると判断された場合には警告を発生させる警告制御手段と
を備えることを特徴とする電子機器。
【請求項３】
前記警告制御手段は、前記監視者が前記被監視者の行動を即時に察知することが可能な状況であると前記判断手段が判断したときに、既に警告が発生されている場合には、当該警告を停止させることを特徴とする請求項１又は２記載の電子機器。
【請求項４】
前記親機の現在位置に基づいて指定区域を設定する設定手段を更に備え、
前記要素は、前記子機が前記指定区域内に存在しない状況となってから、その状況が所定の短い時間内で解消されたか否かを示すものであることを特徴とする請求項１乃至３記載の電子機器。
【請求項５】
前記要素は、前記親機と前記子機との間に前記監視者の視野を遮る障害物が存在するか否かを示すものであることを特徴とする請求項１乃至３記載の電子機器。
【請求項６】
前記要素は、前記監視者が前記被監視者へ向かって所定速度以上で移動しているか否かを示すものであることを特徴とする請求項１乃至３記載の電子機器。
【請求項７】
前記要素は、前記監視者の正面が前記被監視者の方向に向いているか否かを示すものであることを特徴とする請求項１乃至３記載の電子機器。
【請求項８】
前記判断手段は、請求項４乃至７記載の前記要素の少なくとも一種と、前記親機と前記子機間の距離とを含む前記情報に基づき、判断することを特徴とする電子機器。
【請求項９】
監視者が携帯する親機と被監視者が携帯する子機とからなるシステムにおいて親機として用いられ、前記子機が指定区域内に存在するか否かに基づき警告の発生を制御する電子機器であって、
前記子機の現在位置を取得する取得手段と、
前記親機の現在位置を検出する検出手段と、
前記親機の置かれている現在の状況を判定する判定手段と、
前記親機の現在位置と現在の状況とに基づき、前記指定区域を設定する設定手段と
を備えることを特徴とする電子機器。
【請求項１０】
前記親機の置かれている現在の状況とは、当該親機が移動中か否かであることを特徴とする請求項９記載の電子機器。
【請求項１１】
前記親機の置かれている現在の状況とは、当該親機の移動速度または移動方向であることを特徴とする請求項９記載の電子機器。
【請求項１２】
前記親機の置かれている現在の状況とは、当該親機が存在する場所の種別または規模であることを特徴とする請求項９記載の電子機器。
【請求項１３】
前記親機の置かれている現在の状況とは、当該親機が前記指定区域内に存在するか否かであることを特徴とする請求項９記載の電子機器。
【請求項１４】
前記親機の置かれている現在の状況とは、当該親機と前記子機との位置関係であることを特徴とする請求項９記載の電子機器。
【請求項１５】
監視者が携帯する親機と被監視者が携帯する子機とからなるシステムにおける親機としての電子機器が有するコンピュータを、
前記子機の現在位置を取得する取得手段と、
前記親機の現在位置を検出する検出手段と、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、
この判断手段が前記被監視者の行動を即時に察知することが可能な状況にないと判断した場合は警告を発生させる警告制御手段と
して機能させることを特徴とする行動監視プログラム。
【請求項１６】
監視者が携帯する親機と被監視者が携帯する子機とからなるシステムにおける親機としての電子機器が有するコンピュータを、
前記親機と前記子機との位置に基づき、前記監視者が前記被監視者の行動を即時に察知することが可能な状況であるとする相互に異なる複数の要素である監視可能条件を記憶した記憶手段と、
前記子機の現在位置を取得する取得手段と、
前記親機の現在位置を検出する検出手段と、
前記親機の現在位置と前記子機の現在位置とにより得られる情報に基づき、前記監視者と前記被監視者とが前記複数の監視可能条件のいずれかに該当する状況にあるか否かを判断する判断手段と、
この判断手段により、前記被監視者と前記被監視者とが前記複数の監視可能条件のいずれにも該当しない状況であると判断された場合には警告を発生させる警告制御手段と
して機能させることを特徴とする行動監視プログラム。
【請求項１７】
監視者が携帯する親機と被監視者が携帯する子機とからなるシステムにおいて親機として用いられ、前記子機が指定区域内に存在するか否かに基づき警告の発生を制御する電子機器が有するコンピュータを、
前記子機の現在位置を取得する取得手段と、
前記親機の現在位置を検出する検出手段と、
前記親機の置かれている現在の状況を判定する判定手段と、
前記親機の現在位置と現在の状況とに基づき、前記指定区域を設定する設定手段と
して機能させることを特徴とする行動監視プログラム。
【請求項１８】
監視者が携帯する親機と被監視者が携帯する子機とからなるシステムによる行動監視方法であって、
前記子機の現在位置を取得する取得ステップと、
前記親機の現在位置を検出する検出ステップと、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断ステップと、
この判断ステップで前記被監視者の行動を即時に察知することが可能な状況にないと判断された場合は警告を発生させる警告制御ステップと
を含むことを特徴とする行動監視方法。
【請求項１９】
監視者が携帯する親機と被監視者が携帯する子機とからなり、前記親機は当該親機と前記子機との位置に基づき、前記監視者が前記被監視者の行動を即時に察知することが可能な状況であるとする相互に異なる複数の要素である監視可能条件を記憶した記憶手段を備えるシステムによる行動監視方法であって、
前記子機の現在位置を取得する取得ステップと、
前記親機の現在位置を検出する検出ステップと、
前記親機の現在位置と前記子機の現在位置とにより得られる情報に基づき、前記監視者と前記被監視者とが前記複数の監視可能条件のいずれかに該当する状況にあるか否かを判断する判断ステップと、
この判断ステップにより、前記被監視者と前記被監視者とが前記複数の監視可能条件のいずれにも該当しない状況であると判断された場合には警告を発生させる警告制御ステップと
を含むことを特徴とする行動監視方法。
【請求項２０】
監視者が携帯する親機と被監視者が携帯する子機とからなるシステムであって前記子機が指定区域内に存在するか否かに基づき警告の発生を制御する行動監視方法であって、
前記子機の現在位置を取得する取得ステップと、
前記親機の現在位置を検出する検出ステップと、
前記親機の置かれている状況を判定する判定ステップと、
前記親機の現在位置と現在の状況とに基づき、前記指定区域を設定する設定ステップと
を含むことを特徴とする行動監視方法。
【発明の詳細な説明】
【技術分野】
【０００１】
本発明は、「子」等の保護対象者の行動を監視し、必要に応じて報知する電子機器、行動監視プログラム及び行動監視方法に関するものである。
【背景技術】
【０００２】
従来、保護対象者の行動を監視し報知する技術として下記特許文献１記載の先行技術１、及び特許文献２記載の先行技術２が存在する。先行技術１は、子機２台と親機１台とで構成されている。子機を持った人（「子」など）が別の子機を持った人（友人など）から離れてしまった場合、直ぐに親機から警告を発生させることなく、少しの時間（指定区域に達するであろう予測時分）待機する。この予測時分が経過した時点で、指定区域（安全地帯：「親」のいる自宅）に入ったか否かを判定して、入っていなかった時に親機から警告を発する。
【０００３】
先行技術２は、子機を持った人（「子」など）が指定区域（「子」用の安全地帯）を出た場合に、近くに親機を持った人（「親」など）がいなかったら警告し、近くに親機を持った人がいたら警告せずに、前記指定区域（「子」用の安全地帯）を親機の指定区域（「親」用の安全地帯）に切り替える。なお、この「親機の指定区域」は、予めマニュアル操作で登録されている。
【先行技術文献】
【特許文献】
【０００４】
【特許文献１】国際公開ＷＯ２００７／１３８８１６号公報
【特許文献２】特開２００５−２６７０７９号公報
【発明の概要】
【発明が解決しようとする課題】
【０００５】
しかしながら、先行技術１は、子機を持った人（「子」など）が別の子機を持った人（友人など）から離れてしまった場合、直ぐに親機から警告を発生させない。つまり、「子」が１人になってしまった後、すぐには警告を行わずに、自宅に帰り着くであろう予想時刻まで待って、それでも帰り着かなかった時には警告を行う。したがって、ある程度分別がついて１人でも行動できるようになった少年や少女を対象にしたものということができ、幼児のように分別がついておらず１人で行動することに危険が伴う者を対象にすることはできない。
【０００６】
また、友人と別れた後を時間（予想時分）で管理するようになるので、自宅近くの店に寄ったり、近所の知り合いと立ち話をしたりして時間が経過してしまうと、安全であるにも拘わらず警告が行われることになってしまう。
【０００７】
先行技術２にあっては、「親機の指定区域」が予めマニュアル操作で固定的に登録されているので、仮に、「親機の指定区域」が広い場合には、その中で親子が離れ離れになって安全性が損なわれていたとしても警告が行われないという問題が生じてしまう。
また、指定区域を出た場合に、両機が近いか否かを判定する値（距離）も固定的にであるので、見通しがよく、十分に安全な場所であるにも拘わらず、両機が少々離れるだけで警告が行われてしまうようなことも起こり得る。
【０００８】
本発明は、かかる従来の課題に鑑みてなされたものであり、適時的に適切な警告を行うことのできる電子機器、行動監視プログラム及び行動監視方法を提供することを目的とする。
【課題を解決するための手段】
【０００９】
前記課題を解決するため請求項１記載の発明は、監視者が携帯する親機と被監視者が携帯する子機とからなるシステムにおける親機としての電子機器であって、前記子機の現在位置を取得する取得手段と、前記親機の現在位置を検出する検出手段と、前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、この判断手段が前記被監視者の行動を即時に察知することが可能な状況にないと判断した場合は警告を発生させる警告制御手段とを備えることを特徴とする電子機器を提供する。
【００１０】
また、請求項２記載の発明は、監視者が携帯する親機と被監視者が携帯する子機とからなるシステムにおける親機としての電子機器であって、前記親機と前記子機との位置に基づき、前記監視者が前記被監視者の行動を即時に察知することが可能な状況であるとする相互に異なる複数の要素である監視可能条件を記憶した記憶手段と、前記子機の現在位置を取得する取得手段と、前記親機の現在位置を検出する検出手段と、前記親機の現在位置と前記子機の現在位置とにより得られる情報に基づき、前記監視者と前記被監視者とが前記複数の監視可能条件のいずれかに該当する状況にあるか否かを判断する判断手段と、この判断手段により、前記被監視者と前記被監視者とが前記複数の監視可能条件のいずれにも該当しない状況であると判断された場合には警告を発生させる警告制御手段とを備えることを特徴とする電子機器を提供する。
【００１１】
また、請求項９記載の発明は、監視者が携帯する親機と被監視者が携帯する子機とからなるシステムにおいて親機として用いられ、前記子機が指定区域内に存在するか否かに基づき警告の発生を制御する電子機器であって、前記子機の現在位置を取得する取得手段と、前記親機の現在位置を検出する検出手段と、前記親機の置かれている現在の状況を判定する判定手段と、前記親機の現在位置と現在の状況とに基づき、前記指定区域を設定する設定手段とを備えることを特徴とする電子機器を提供する。
【００１２】
また、請求項１５記載の発明は、監視者が携帯する親機と被監視者が携帯する子機とからなるシステムにおける親機としての電子機器が有するコンピュータを、前記子機の現在位置を取得する取得手段と、前記親機の現在位置を検出する検出手段と、前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、この判断手段が前記被監視者の行動を即時に察知することが可能な状況にないと判断した場合は警告を発生させる警告制御手段として機能させることを特徴とする行動監視プログラムを提供する。
【００１３】
また、請求項１６記載の発明は、監視者が携帯する親機と被監視者が携帯する子機とからなるシステムにおける親機としての電子機器が有するコンピュータを、前記親機と前記子機との位置に基づき、前記監視者が前記被監視者の行動を即時に察知することが可能な状況であるとする相互に異なる複数の要素である監視可能条件を記憶した記憶手段と、前記子機の現在位置を取得する取得手段と、前記親機の現在位置を検出する検出手段と、前記親機の現在位置と前記子機の現在位置とにより得られる情報に基づき、前記監視者と前記被監視者とが前記複数の監視可能条件のいずれかに該当する状況にあるか否かを判断する判断手段と、この判断手段により、前記被監視者と前記被監視者とが前記複数の監視可能条件のいずれにも該当しない状況であると判断された場合には警告を発生させる警告制御手段として機能させることを特徴とする行動監視プログラムを提供する。
【００１４】
また、請求項１７記載の発明は、監視者が携帯する親機と被監視者が携帯する子機とからなるシステムにおいて親機として用いられ、前記子機が指定区域内に存在するか否かに基づき警告の発生を制御する電子機器が有するコンピュータを、前記子機の現在位置を取得する取得手段と、前記親機の現在位置を検出する検出手段と、前記親機の置かれている現在の状況を判定する判定手段と、前記親機の現在位置と現在の状況とに基づき、前記指定区域を設定する設定手段として機能させることを特徴とする行動監視プログラムを提供する。
【００１５】
また、請求項１８記載の発明は、監視者が携帯する親機と被監視者が携帯する子機とからなるシステムによる行動監視方法であって、前記子機の現在位置を取得する取得ステップと、前記親機の現在位置を検出する検出ステップと、前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断ステップと、この判断ステップで前記被監視者の行動を即時に察知することが可能な状況にないと判断された場合は警告を発生させる警告制御ステップとを含むことを特徴とする行動監視方法を提供する。
【００１６】
また、請求項１９記載の発明は、監視者が携帯する親機と被監視者が携帯する子機とからなり、前記親機は当該親機と前記子機との位置に基づき、前記監視者が前記被監視者の行動を即時に察知することが可能な状況であるとする相互に異なる複数の要素である監視可能条件を記憶した記憶手段を備えるシステムによる行動監視方法であって、前記子機の現在位置を取得する取得ステップと、前記親機の現在位置を検出する検出ステップと、前記親機の現在位置と前記子機の現在位置とにより得られる情報に基づき、前記監視者と前記被監視者とが前記複数の監視可能条件のいずれかに該当する状況にあるか否かを判断する判断ステップと、この判断ステップにより、前記被監視者と前記被監視者とが前記複数の監視可能条件のいずれにも該当しない状況であると判断された場合には警告を発生させる警告制御ステップとを含むことを特徴とする行動監視方法を提供する。
【００１７】
また、請求項２０記載の発明は、監視者が携帯する親機と被監視者が携帯する子機とからなるシステムであって前記子機が指定区域内に存在するか否かに基づき警告の発生を制御する行動監視方法であって、前記子機の現在位置を取得する取得ステップと、前記親機の現在位置を検出する検出ステップと前記親機の置かれている状況を判定する判定ステップと、前記親機の現在位置と現在の状況とに基づき、前記指定区域を設定する設定ステップとを含むことを特徴とする行動監視方法を提供する。
【発明の効果】
【００１８】
本発明によれば、状況を考慮して適時的に適切な警告を行うことができる。
【図面の簡単な説明】
【００１９】
【図１】本発明の一実施の形態に係るシステム全体を示す説明図である。
【図２】親機の回路構成を示すブロック図である。
【図３】間取り記憶部に記憶されている間取りの一例を示す図である。
【図４】子機の回路構成を示すブロック図である。
【図５】本実施の形態における処理手順を示すフローチャートである。
【図６】図５に続くフローチャートである。
【図７】ステップＳ３２、ステップＳ３４、ステップＳ３５の処理が実行された場合の指定区域を示す図である。
【発明を実施するための形態】
【００２０】
以下、本発明の実施形態について説明する。本実施の形態に係る行動監視システムは、図１に示すように、「親」が携帯する親機１と「子」が携帯する子機２とで構成されている。親機１と子機２とはブルートゥース（Ｂｌｕｅｔｏｏｔｈ（登録商標））等の近接無線により無線接続されているとともに、複数の低軌道周回衛星３との交信により自機の現在位置を検出するＧＰＳ（Global Positioning System）機能を有している。
【００２１】
図２は、親機の回路構成を示すブロック図である。図示のように、この親機１は、バス１０１を介して互いに接続された制御部１０２、ＲＡＭ（Random Access Memory）１０３、地図記憶部１０４、間取り記憶部１０５、自機位置検出部１０７、通信部１０８、方位検出部１１０、タイマ１１１、報知部１１２を有している。
【００２２】
制御部１０２は、ＣＰＵ（Central Processing Unit）、及びＣＰＵの周辺回路、予めプログラムやデータを記憶するＲＯＭ（Read Only Memory）等を備え、ＲＡＭ１０３を作業用メモリ等として用い、親機１の全体の動作を制御する。
【００２３】
地図記憶部１０４には、地図データが格納されている。地図データは、一般地図データと詳細地図データとを含む。一般地図データは、当該親機１のメーカーにより予め記憶されたものであって、例えばレイヤー１〜３データで構成されている。レイヤー１データは地図データにおける地形データであり、レイヤー２データは地図データにおける道路、路線データであり、レイヤー３データは地図データにおけるランドマーク（目印、指標）データである。したがって、これら地形データ、道路、路線データ、ランドマークデータを重ね合わせて合成することにより、これら地形、道路、路線、ランドマークを有する地図を認識することが可能となる。詳細地図データには、立ち入りが困難または不可能な区域を示すデータや、親機１と子機２間に存在した場合、「親」が「子」を視認する際に障害物となり得る物体に関する情報が含まれている。ここで、立ち入り困難・不可能な区域とは、他人の私有地、塀や堀で囲われている場所等の立ち入るべきでない区域及び立ち入ることのできない区域である。
【００２４】
間取り記憶部１０５には、例えば図３に示すような間取り図が記憶されている。この間取り図は、親機１を携帯する「親」等が予め作成して記憶させた自宅の平面図であって、「リビングルーム」、「バルコニー」等の区域毎に名称が記憶されているとともに、各名称が付された区域毎に緯度・経度等の位置情報が記憶されている。したがって、親機１の制御部１０２は、自機位置検出部１０７によって検出された自己位置と間取り記憶部１０５に記憶されている間取り図とに基づき、現在自機が間取り図上のいずれの位置に存在するかを取得することができる。
【００２５】
なお、本実施の形態においては、間取り図を２次元の平面図としたが、３次元の立体図、斜視図等で間取り図を作成するようにしてもよい。しかし、本実施の形態のように、間取り図を平面図とすれば、間取り図を容易に作成することができるメリットがある。
【００２６】
自機位置検出部１０７は、前記ＧＰＳのみならず、電話基地局との交信、ＩＭＥＳ(Indoor MEssaging System）、プレースエンジン(Place Engine)等の複数の位置検出手段を有して構成されている。したがって、自機位置検出部１０７により、自機の屋外における現在位置のみならず屋内における現在位置も精度よく検出することが可能である。
なお、自機の屋内外における現在位置を精度よく検出できるものであれば、１つの位置検出手段であっても構わない。
【００２７】
通信部１０８は、子機２と前記近接無線により通信を行うブロックである。この通信部１０８は、後述する子機２の自機位置検出部２０７が検出し、子機２の通信部２０８から送信される当該子機２の現在位置を示す情報等を受信する。これにより、親機１は常時子機２の現在位置を取得することができる。
【００２８】
方位検出部１１０は、親機１が向いている方向を検出するのみならず、前記通信部１０８が受信した子機２の現在位置情報に基づき、子機２が親機１に対していずれの方向に存在するかを検出する機能を備える。タイマ１１１は、後述するフローチャートに従った処理を行う際に必要となる時間を計時する。報知部１１２は、ブザーや光の点滅等の聴覚や視覚により「親」に報知することが可能な手段からなる。
【００２９】
図４は、子機２の回路構成を示すブロック図である。図示のように、この子機２は、バス２０１を介して互いに接続された制御部２０２、ＲＡＭ２０３、地図記憶部２０４、間取り記憶部２０５、自機位置検出部２０７及び通信部２０８を有している。制御部２０２、ＲＡＭ２０３、地図記憶部２０４、間取り記憶部２０５は、前記親機１における制御部１０２、ＲＡＭ１０３、地図記憶部１０４、間取り記憶部１０５と同様の構成及び機能を備える。通信部２０８は、親機１と前記近接無線により通信を行うブロックであって、自機位置検出部２０７が検出した当該子機２の現在位置を示す情報を送信する。
【００３０】
次に、本実施例の動作について図５及び図６に示す一連のフローチャートに従って説明する。親機１の制御部１０２は、システムのＯＮに伴ってＲＯＭに格納されているプログラムに基づき処理を開始し、先ずイニシャライズ処理を実行する（ステップＳ１）。このイニシャライズ処理では、図３に示した間取り記憶部１０５に記憶されている間取りにおいて「リビングルーム」を指定区域として自動設定するか、あるいは自機位置検出部１０７により検出した親機１の位置から半径１ｍ内を指定区域として自動設定する。この自動設定により、指定区域を示す情報がＲＡＭ１０３に記憶される。
【００３１】
また、親機１の制御部１０２は、子機２の自機位置検出部２０７により検出されて通信部２０８から送信されてくる当該子機２の現在位置を通信部１０８により受信させる。そして、この受信した子機２の現在位置がこの指定区域内か否か、つまり「子」が指定区域内に居り安全な状態にあるか否かを判断する（ステップＳ２）。子機２が指定区域内に存在し、「子」が安全な状態にあるならば、報知部１１２を動作させている警告中の状態であるか否かを判断する（ステップＳ３）。警告中でない場合には、ステップＳ４の処理を行うことなく、ステップＳ５に処理を進める。
【００３２】
しかし、警告中であるならば、報知部１１２の動作を停止させて警告を停止する（ステップＳ４）。したがって、子機２が指定区域内に存在し「子」が安全な状態にあるにも拘わらず、警告が継続されることがなく、無用な警告が回避され、状況を考慮した適切な警告を行うことができる。
【００３３】
引き続き、指定区域がリビングルームであるか否かを判断する（ステップＳ５）。指定区域がリビングルームであるならば、ステップＳ２に戻り、リビングルームでないならばステップＳ２０に処理を進める。
【００３４】
一方、前記ステップＳ２での判断の結果、子機２が指定区域内に存在しない場合には、親機１が指定区域内に存在するか否かを判断する（ステップＳ６）。このステップＳ６での判断の結果、親機１は指定区域内に存在する場合、つまり親機１は指定区域「内」であるが子機２が指定区域「外」にある場合には、地図記憶部１０４に記憶されている地図及び間取り記憶部１０５に記憶されている間取り図上で両機の位置関係を確認（検出）する（ステップＳ７）。
【００３５】
また、この確認の結果に基づき、両機間に死角となる障害物（例えば、壁や曲がり角など）があるか否か判断する（ステップＳ８）。この判断の結果、両機間に死角となる障害物がある場合には、報知部１１２を動作させて警告を開始した後（ステップＳ１６）、ステップＳ２に戻る。したがって、両機間に障害物があり、「親」が「子」の動静を視認できない場合には、親機１にて警告がなされることにより、「親」に対し即時に「子」の動静を確認すべきことを促す適切な警告を行うことができる。
【００３６】
しかし、両機間に死角となる障害物がない場合には、親機１の動静を確認する（ステップＳ９）。つまり、制御部１０２は、自機位置検出部１０７を所定タイミングで動作させるとともに、各タイミングで検出した親機１の現在位置を順次ＲＡＭ１０３に記憶させる処理を行っている。そして、ＲＡＭ１０３に記憶されている前回検出した前回現在位置と今回検出した今回現在位置とを比較することにより、親機１の移動の有無、移動方向を検出することができる。また、これら前回現在位置と今回現在位置と、これら位置検出の時間間隔とを用いることにより、親機１の移動速度を算出することもできる。よって、以上の親機１の移動の有無、移動方向、移動速度をステップＳ９における親機１の動静として検出あるいは算出する。
【００３７】
次に、親機１及び子機２の現在位置と、方位検出部１１０により検出される親機１の向きとに基づき、両機が近く（例えば、２〜３ｍ内）であり、かつ親機１が子機２の方向を向いているか否か（つまり「親」の顔や胸などの正面側が「子」の方へ向いているか否か）を判断する（ステップＳ１０）。両機が近くであり、かつ親機１が子機２の方向を向いている場合には、制御部１０２はステップＳ１１の判断を行うことなく、タイマ１１１をスタートさせる（ステップＳ１２）。
【００３８】
しかし両機が近くではないか、あるいは親機１が子機２の方向を向いていない場合には、前記ステップＳ９で得た親機１の移動方向と移動速度とに基づき、親機１が所定速度以上（大人の小走り程度）で子機２の方向に移動している否かを判断する（ステップＳ１１）。このステップＳ１１での判断がＮＯである場合、つまりステップＳ１０及びステップＳ１１の判断が共にＮＯであり下記の否定的条件（１）及び（２）の少なくとも一方と（３）とを満たす場合には、警告を開始する（ステップＳ１６）。
（１）両機が近くではない。
（２）親機１が子機２の方向を向いていない。
（３）親機１が所定速度以上で子機２の方向へ移動していない。
【００３９】
例えば、以上の否定的条件（１）〜（３）を全て満たすような場合は、「親」の監視による「子」の安全性を確保することができない状態であるとすることができる。したがって、このように「親」の監視による「子」の安全性を確保することができない状態となった場合には、警告を開始することにより（ステップＳ１６）、「親」に対して「子」の適正な監視を促すことができる。この警告を受けた「親」が適正な監視状態を形成することにより、「子」の安全性が確保される。
【００４０】
また、ステップＳ１１の判断がＹＥＳであって親機１が所定速度以上で子機２の方向に移動している場合には、ステップＳ１０の判断がＹＥＳであった場合と同様に、タイマ１１１をスタートさせる（ステップＳ１２）。そして、このタイマ１１１をスタートさせてから２秒が経過するまで待機し（ステップＳ１３）、２秒が経過したならば、子機２が指定区域内に存在するか否かを判断する（ステップＳ１４）。２秒経過して子機２が指定区域内に存在する（戻った）ならば、適正な監視が可能であって、「親」の監視により「子」の安全性が確保された状態が形成されたとすることができる。よって、警告を開始することなく前記ステップＳ３に戻る。これにより、一時的（瞬間的）に「子」が指定区域を出ただけでは警告がなされず、不要かつ不適切な警告を未然に回避することができる。
【００４１】
また、子機２が指定区域内に存在しない場合には、両機が近く（例えば、１ｍ内）に存在するか否かを判断する（ステップＳ１５）。両機が指定区域外であっても、当該両機が近くに存在すれば、「親」の監視による「子」の安全性の確保は可能である。よって、警告を開始することなく前記ステップＳ３に戻る。これにより、「親」が気付いて「子」に近寄れば警告がなされず、不要かつ不適切な警告を未然に回避することができる。
【００４２】
しかし、このステップＳ１５での判断がＮＯである場合、つまりステップＳ１４及びステップＳ１５の判断が共にＮＯであり、子機２が指定区域外でありかつ両機の距離が近くない場合には、「親」の監視による「子」の安全性を確保することができない。したがって、警告を開始した後（ステップＳ１６）、ステップＳ２に戻る。よって、ステップＳ１６での警告の開始により、「親」に対して「子」の適正な監視を促すことができ、この警告を受けた「親」が適正な監視状態を形成することにより、「子」の安全性を確保することができる。
【００４３】
他方、前記ステップＳ６での判断の結果、親機１は指定区域内に存在しない場合、つまり親機１及び子機２が共に指定区域外である場合も、両機が近く（例えば、１ｍ内）に存在するか否かを判断する（ステップＳ１７）。両機が指定区域外であり、しかも両機の距離が近くない場合には、前述のステップＳ７以降の処理を実行する。
【００４４】
しかし、両機が指定区域外であっても、当該両機が近くに存在すれば、「親」の監視による「子」の安全性の確保は可能である。よって、警告中であるか否かを判断し（ステップＳ１８）、警告中である場合には、これを停止させる（ステップＳ１９）。したがって、子機２が指定区域内にないが、両機が近く「子」が安全な状態にある場合には、警告が継続されることがなく、無用な警告が回避され、監視状況を考慮した適切な警告を行うことができる。
【００４５】
次に、前述のステップＳ９と同様に、自機位置検出部１０７により前回検出した前回現在位置と今回検出した今回現在位置とに基づいて、親機１の移動の有無、移動方向、移動速度を検出（算出）して、親機１の動静を確認する（ステップＳ２０）。また、確認した親機１の動静に基づき、親機１が移動中であるか否かを判断し（ステップＳ２１）、移動中である場合には後述する図６のステップＳ３１に処理を進める。
【００４６】
移動中ではなく停止している場合には、親機１の現在位置は自宅の庭、公園、海、動物園、路上などの屋外であるか否かを判断する（ステップＳ２２）。屋外ではなく自宅内、レストラン、ゲームセンター、ブティック、美容室などの屋内である場合には、自宅であるか否かを判断する（ステップＳ２３）。自宅である場合には、本実施の形態において自宅における最も安全な区域として取り扱う「リビングルーム」を指定区域とした後（ステップＳ２４）、ステップＳ２に戻る。
【００４７】
つまり、自宅における最も安全な区域として取り扱うステップＳ１で初期設定した指定区域内にない場合（ステップＳ２、Ｓ６；ＮＯ）であっても、両機が近く（ステップＳ１７；ＹＥＳ）、かつ屋内であり（ステップＳ２２；ＮＯ）、それが自宅であれば（ステップＳ２３；ＹＥＳ）、指定区域を外れても「子」の安全性は担保される。しかも、親機１は移動中ではなく停止中であるから（ステップＳ２１；ＮＯ）、「親」は「子」を確実に監視でき、あるいは監視していると強く推定される。よって、ステップＳ１で初期設定した指定区域「リビングルーム」を継続して設定維持する（ステップＳ２４）。
【００４８】
また、両機がステップＳ１で初期設定した指定区域内にない場合（ステップＳ２、Ｓ６；ＮＯ）であっても、両機が近く（ステップＳ１７；ＹＥＳ）、屋内であれば（ステップＳ２２；ＮＯ）、それが自宅でなくとも（ステップＳ２３；ＮＯ）、店内や施設内に限定しつつ、ある程度動き回れるように指定区域を設定し直せば、「親」は「子」に対して適切な監視を行うことができる。よって、ここでは親機１の５ｍ内を指定区域とすることにより（ステップＳ２５）、適切な監視状態を維持しつつ「子」の自由度を高める。
【００４９】
また、ステップＳ２２での判断の結果、親機１が屋外にある場合には、自機位置検出部１０７により検出している親機１の現在位置と、地図データ記憶部に記憶されている地図データとに基づき、親機１の現在位置が庭や公園などのレジャー場所のような「子」を遊ばせることを目的とする場所であるか否かを判断する（ステップＳ２６）。なお、この判断に際しては、予めＲＯＭに「子」を遊ばせることを目的とする場所を記憶させておき、この記憶させてある場所に該当する場合には、ステップＳ２６の判断をＹＥＳとするようにすればよい。
【００５０】
このステップＳ２６での判断の結果、親機１が「子」を遊ばせることを目的とする場所である場合には、当該場所が小規模であるか否かを判断する（ステップＳ２８）。このステップＳ２８における小規模であるか否かの判断に際しては、閾値となる面積をＲＯＭに記憶させておき、この面積以下である場合には小規模と判断するようにすればよい。
【００５１】
そして、当該「子」を遊ばせることを目的とする場所が小規模である場合には、その敷地内を指定区域に設定変更する（ステップＳ２９）。つまり、当該「子」を遊ばせることを目的とする場所が小規模であれば、その敷地全体を指定区域としても、「親」は「子」を適切に監視することができると推定される。よって、その敷地内を指定区域に設定変更することにより、適切な監視状態を維持しつつ「子」の自由度を高めることができる。
【００５２】
また、ステップＳ２８での判断の結果、当該「子」を遊ばせることを目的とする場所が小規模でない場合には、親機１の１０ｍ内を指定区域に設定変更する（ステップＳ３０）。つまり、当該「子」を遊ばせることを目的とする場所が小規模でなく大規模であっても、「親」から１０ｍ内であれば、「親」は「子」を適切に監視することができると推定される。よって、指定区域を親機１の１０ｍ内に設定変更することにより、適切な監視状態を維持しつつ「子」の自由度を高めることができる。
【００５３】
しかし、前記ステップＳ２６での判断の結果、親機１の現在位置が道路等の「子」を遊ばせることを目的とする場所ではない場合には、親機１の２ｍ内を指定区域に設定する（ステップＳ２７）。つまり、親機１が屋外にある場合には、それが「子」を遊ばせることを目的とする場所であり安全性が確保されている場所であれば、その敷地内又は親機１の１０ｍ内を指定区域とするが、それが「子」を遊ばせることを目的とする場所でなく安全性が確保されていない場所である場合には、親機１の２ｍ内という狭い指定区域にする。これにより、「子」の自由度を低めて安全性を最優先とした監視状態を形成することができる。
【００５４】
また、前記ステップＳ２１での判断の結果、親機１が移動中である場合には、制御部１０２はステップＳ２１から図６のフローチャートに処理を進め、ステップＳ９で説明した移動方向と親機１及び子機２の現在位置とに基づき、子機２は親機１の前方に存在するか否かを判断する（ステップＳ３１）。子機２が親機１の前方に存在する場合には、親機１が１秒間に移動する距離の６倍内であって、移動方向の前方左右４５度ずつ（計９０度）の弧を指定区域に設定変更する（ステップＳ３２）。
【００５５】
つまり、制御部１０２は、例えば１秒間毎に自機位置検出部１０７を動作させて自機位置を検出するとともに、ＲＡＭに記憶している。したがって、直近１秒間の移動距離を検出することができるとともに、親機１がイニシャライズ処理を行った後における平均秒速を検出することもできる。例えば、親機１が１秒間に移動する距離が１．２ｍであったとすると、その６倍である７．２ｍ（半径）以内であって、移動方向の左右４５度ずつ計９０度の弧を指定区域にする。
【００５６】
また、子機２が親機１の前方でない場合には、子機２は親機１の後方か否かを判断する（ステップＳ３３）。このステップＳ３３及び前記ステップＳ３１の判断が共にＮＯであれば、子機２は親機１の前方及び後方のいずれでもなく、親機１の側方である。この場合、制御部１０２は、親機１が１秒間に移動する距離の３倍内であって、移動方向の側方７５度（子機２のある側のみ）の弧を指定区域に設定変更する（ステップＳ３４）。したがって、親機１が１秒間に移動する距離が１．２ｍであったとすると、その３倍である３．６ｍ（半径）以内であって、移動方向の左右いずれかの７５度の弧を指定区域にする。
【００５７】
また、子機２が親機１の後方である場合には、親機１が１秒間に移動する距離の２倍内であって、移動方向の後方左右６０度ずつ（計１２０度）の弧を指定区域に設定変更する（ステップＳ３５）。したがって、親機１が１秒間に移動する距離が１．２ｍであったとすると、その２倍である２．４ｍ（半径）以内であって、移動方向の後方左右６０度ずつ計１２０度の弧を指定区域にする。
【００５８】
したがって、以上に説明したステップＳ３２、ステップＳ３４、ステップＳ３５の処理が実行されると、図７に示すように、１秒間の移動距離が１．２ｍであって子機２が親機１の前方にある場合つまり「子」が「親」の前方を歩いている場合には、半径７．２ｍの円弧であって９０度の円弧からなる領域Ａが指定区域として設定される。
【００５９】
また、子機２が親機１の側方にある場合つまり「子」が「親」の側方を歩いている場合には、半径３．６ｍの円弧であって７５度の円弧からなる領域Ｂ、Ｃのいずれか一方が指定区域として設定される。子機２が親機１の後方にある場合つまり「子」が「親」の後方を歩いている場合には、半径２．４ｍの円弧であって１２０度の円弧からなる領域Ｄが指定区域として設定される。
【００６０】
これら図示した領域Ａ、Ｂ、Ｃ、Ｄの面積を比較すると、Ａ＞Ｂ＝Ｃ＞Ｄの関係にある。つまり、「子」が前方にいる場合には、「親」は「子」を監視し易く安全性を充分に維持できることから移動時における最大の領域Ａを設定する。また、「子」が側方にいる場合には、「親」は「子」をやや監視し難く安全性を必ずしも充分に維持できないことから移動時における中位の領域Ｂ又はＣを設定する。さらに、また、「子」が後方にいる場合には、「親」は「子」を常時監視することが困難であり安全性を維持できないことから移動時における最小の領域Ｄを設定する。
【００６１】
したがって、移動時における「親」と「子」の位置関係に起因する安全性に応じた範囲からなる指定区域を適切に設定することができ、適切な警告を行うことが可能となる。
【００６２】
しかる後に、詳細な地図を持っているか否か、つまり親機１の地図記憶部１０４に詳細な地図データが記憶されているか否かを判断する（ステップＳ３６）。持っていない場合には、ステップＳ３７の処理を行うことなく、図５のフローチャートにおけるステップＳ２からの処理を繰り返す。また、詳細な地図を持っている場合には、立ち入り困難・不可能な区域を指定区域から除外する（ステップＳ３７）。
【００６３】
ここで、立ち入り不可能な区域とは屋外においては他人の私有地や塀・柵で囲われている場所などであり、屋内（自宅も含む）においては常に鍵が掛かっている部屋などである。したがって、立ち入り困難・不可能な区域が「子」の自由領域である指定区域に含まれることを未然に防止して、「子」が実際に自由に行動できる必要最小限の領域を指定区域とすることができる。
【００６４】
また、以上説明したように、「親」と「子」の位置関係に起因する安全性を確保できなくなった場合には、即時に警告を行うことから、幼児のように１人で行動することに危険性が伴う者を対象とすることもできる。
【００６５】
なお、以上に説明した親機１の機能を携帯電話に組み込むことより、図１に示すように携帯電話を親機１として利用するようにしてもよい。また、同図に示すように、子機２は「子」の首に掛けて携帯するペンダント型とすることが好ましい。
また、実施の形態においては、監視者を「親」とし被監視者（保護対象者）を「子」としたが、これに限ることなく、どのような被監視者と監視者であっても本発明を適用できることは言うまでも無い。
また、実施の形態においては、指定区域を安全地帯として扱っているが、逆に、危険地帯として扱い、警告の開始と停止の関係も逆にしてもよい。
また、実施の形態においては、指定区域を常に１つの閉空間としているが、複数の独立した閉空間を同時に指定区域とするようにしてもよい。
また、閉空間を指定区域とするのではなく、閉空間以外の領域を指定区域として扱ってもよい。
また、フローチャートに示した処理動作は、親機が行っているが、親機と子機をネットワークに接続された端末として扱い、ネットワークサーバにてフローチャートの処理動作を司るようにしてもよい。  また、フローチャートに示した１ｍ、２ｍ、１０ｍ等の距離や９０度、１２０度等の角度や２秒等の時間は、あくまでも一例であって、適宜の値を用いることができる。
【００６６】
以上、この発明の実施形態について説明したが、この発明はこれらに限定されるものではなく、特許請求の範囲に記載された発明とその均等の範囲を含むものである。
【００６７】
以下に、本願出願時の特許請求の範囲を付記する。
【００６８】
［請求項１］
監視者が携帯する親機と被監視者が携帯する子機とからなるシステムにおける親機としての電子機器であって、
前記子機の現在位置を取得する取得手段と、
前記親機の現在位置を検出する検出手段と、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、
この判断手段が前記被監視者の行動を即時に察知することが可能な状況にないと判断した場合は警告を発生させる警告制御手段と
を備えることを特徴とする電子機器。
【００６９】
［請求項２］
監視者が携帯する親機と被監視者が携帯する子機とからなるシステムにおける親機としての電子機器であって、
前記親機と前記子機との位置に基づき、前記監視者が前記被監視者の行動を即時に察知することが可能な状況であるとする相互に異なる複数の要素である監視可能条件を記憶した記憶手段と、
前記子機の現在位置を取得する取得手段と、
前記親機の現在位置を検出する検出手段と、
前記親機の現在位置と前記子機の現在位置とにより得られる情報に基づき、前記監視者と前記被監視者とが前記複数の監視可能条件のいずれかに該当する状況にあるか否かを判断する判断手段と、
この判断手段により、前記被監視者と前記被監視者とが前記複数の監視可能条件のいずれにも該当しない状況であると判断された場合には警告を発生させる警告制御手段と
を備えることを特徴とする電子機器。
【００７０】
［請求項３］
前記警告制御手段は、前記監視者が前記被監視者の行動を即時に察知することが可能な状況であると前記判断手段が判断したときに、既に警告が発生されている場合には、当該警告を停止させることを特徴とする請求項１又は２記載の電子機器。
【００７１】
［請求項４］
前記親機の現在位置に基づいて指定区域を設定する設定手段を更に備え、
前記要素は、前記子機が前記指定区域内に存在しない状況となってから、その状況が所定の短い時間内で解消されたか否かを示すものであることを特徴とする請求項１乃至３記載の電子機器。
【００７２】
［請求項５］
前記要素は、前記親機と前記子機との間に前記監視者の視野を遮る障害物が存在するか否かを示すものであることを特徴とする請求項１乃至３記載の電子機器。
【００７３】
［請求項６］
前記要素は、前記監視者が前記被監視者へ向かって所定速度以上で移動しているか否かを示すものであることを特徴とする請求項１乃至３記載の電子機器。
【００７４】
［請求項７］
前記要素は、前記監視者の正面が前記被監視者の方向に向いているか否かを示すものであることを特徴とする請求項１乃至３記載の電子機器。
【００７５】
［請求項８］
前記判断手段は、請求項４乃至７記載の前記要素の少なくとも一種と、前記親機と前記子機間の距離とを含む前記情報に基づき、判断することを特徴とする電子機器。
【００７６】
［請求項９］
監視者が携帯する親機と被監視者が携帯する子機とからなるシステムにおいて親機として用いられ、前記子機が指定区域内に存在するか否かに基づき警告の発生を制御する電子機器であって、
前記子機の現在位置を取得する取得手段と、
前記親機の現在位置を検出する検出手段と、
前記親機の置かれている現在の状況を判定する判定手段と、
前記親機の現在位置と現在の状況とに基づき、前記指定区域を設定する設定手段と
を備えることを特徴とする電子機器。
【００７７】
［請求項１０］
前記親機の置かれている現在の状況とは、当該親機が移動中か否かであることを特徴とする請求項９記載の電子機器。
【００７８】
［請求項１１］
前記親機の置かれている現在の状況とは、当該親機の移動速度または移動方向であることを特徴とする請求項９記載の電子機器。
【００７９】
［請求項１２］
前記親機の置かれている現在の状況とは、当該親機が存在する場所の種別または規模であることを特徴とする請求項９記載の電子機器。
【００８０】
［請求項１３］
前記親機の置かれている現在の状況とは、当該親機が前記指定区域内に存在するか否かであることを特徴とする請求項９記載の電子機器。
【００８１】
［請求項１４］
前記親機の置かれている現在の状況とは、当該親機と前記子機との位置関係であることを特徴とする請求項９記載の電子機器。
【００８２】
［請求項１５］
監視者が携帯する親機と被監視者が携帯する子機とからなるシステムにおける親機としての電子機器が有するコンピュータを、
前記子機の現在位置を取得する取得手段と、
前記親機の現在位置を検出する検出手段と、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断手段と、
この判断手段が前記被監視者の行動を即時に察知することが可能な状況にないと判断した場合は警告を発生させる警告制御手段と
して機能させることを特徴とする行動監視プログラム。
【００８３】
［請求項１６］
監視者が携帯する親機と被監視者が携帯する子機とからなるシステムにおける親機としての電子機器が有するコンピュータを、
前記親機と前記子機との位置に基づき、前記監視者が前記被監視者の行動を即時に察知することが可能な状況であるとする相互に異なる複数の要素である監視可能条件を記憶した記憶手段と、
前記子機の現在位置を取得する取得手段と、
前記親機の現在位置を検出する検出手段と、
前記親機の現在位置と前記子機の現在位置とにより得られる情報に基づき、前記監視者と前記被監視者とが前記複数の監視可能条件のいずれかに該当する状況にあるか否かを判断する判断手段と、
この判断手段により、前記被監視者と前記被監視者とが前記複数の監視可能条件のいずれにも該当しない状況であると判断された場合には警告を発生させる警告制御手段と
して機能させることを特徴とする行動監視プログラム。
【００８４】
［請求項１７］
監視者が携帯する親機と被監視者が携帯する子機とからなるシステムにおいて親機として用いられ、前記子機が指定区域内に存在するか否かに基づき警告の発生を制御する電子機器が有するコンピュータを、
前記子機の現在位置を取得する取得手段と、
前記親機の現在位置を検出する検出手段と、
前記親機の置かれている現在の状況を判定する判定手段と、
前記親機の現在位置と現在の状況とに基づき、前記指定区域を設定する設定手段と
して機能させることを特徴とする行動監視プログラム。
【００８５】
［請求項１８］
監視者が携帯する親機と被監視者が携帯する子機とからなるシステムによる行動監視方法であって、
前記子機の現在位置を取得する取得ステップと、
前記親機の現在位置を検出する検出ステップと、
前記親機の現在位置と前記子機の現在位置とにより得られる情報であって、かつ両機間の距離以外の要素を含む情報に基づき、前記監視者が前記被監視者の行動を即時に察知することが可能な状況にあるか否かを判断する判断ステップと、
この判断ステップで前記被監視者の行動を即時に察知することが可能な状況にないと判断された場合は警告を発生させる警告制御ステップと
を含むことを特徴とする行動監視方法。
【００８６】
［請求項１９］
監視者が携帯する親機と被監視者が携帯する子機とからなり、前記親機は当該親機と前記子機との位置に基づき、前記監視者が前記被監視者の行動を即時に察知することが可能な状況であるとする相互に異なる複数の要素である監視可能条件を記憶した記憶手段を備えるシステムによる行動監視方法であって、
前記子機の現在位置を取得する取得ステップと、
前記親機の現在位置を検出する検出ステップと、
前記親機の現在位置と前記子機の現在位置とにより得られる情報に基づき、前記監視者と前記被監視者とが前記複数の監視可能条件のいずれかに該当する状況にあるか否かを判断する判断ステップと、
この判断ステップにより、前記被監視者と前記被監視者とが前記複数の監視可能条件のいずれにも該当しない状況であると判断された場合には警告を発生させる警告制御ステップと
を含むことを特徴とする行動監視方法。
【００８７】
［請求項２０］
監視者が携帯する親機と被監視者が携帯する子機とからなるシステムであって前記子機が指定区域内に存在するか否かに基づき警告の発生を制御する行動監視方法であって、
前記子機の現在位置を取得する取得ステップと、
前記親機の現在位置を検出する検出ステップと、
前記親機の置かれている状況を判定する判定ステップと、
前記親機の現在位置と現在の状況とに基づき、前記指定区域を設定する設定ステップと
を含むことを特徴とする行動監視方法。
【符号の説明】
【００８８】
１    親機
２    子機
１０１    バス
１０２    制御部
１０３    ＲＡＭ
１０４    地図記憶部
１０５    間取り記憶部
１０７    自機位置検出部
１０８    通信部
１１０    方位検出部
１１１    タイマ
１１２    報知部
２０１    バス
２０２    制御部
２０３    ＲＡＭ
２０４    地図記憶部
２０５    間取り記憶部
２０７    自機位置検出部
２０８    通信部
【図１】
2015103040.tif 000003
【図２】
2015103040.tif 000004
【図３】
2015103040.tif 000005
【図４】
2015103040.tif 000006
【図５】
2015103040.tif 000007
【図６】
2015103040.tif 000008
【図７】
2015103040.tif 000009